(57)【特許請求の範囲】
【請求項１】
帽体（１）と、帽体（１）内に設けられたハンモック（２）と、帽体（１）内に設けられたヘッドバンド（３）とを有する保安用ヘルメットにおいて、
（ａ）該ヘッドバンド（３）には、額用汗止め部材（１７）を嵌め込むための孔部（２５）が設けられ、
（ｂ）該額用汗止め部材（１７）は、合成樹脂製板状部材（２３）と不織布（２４）からなり、
（ｃ）該合成樹脂製板状部材（２３）の一方の面には該孔部（２５）に嵌め込むための突起部（２２）が設けられ、該合成樹脂製板状部材（２３）の下端に沿って樋（２６）が設けられるとともに該合成樹脂製板状部材（２３）と該樋（２６）との間には該不織布（２４）に対して開口した孔部（２７）が設けられており、
（ｄ）該合成樹脂製板状部材（２３）の他方の面には該不織布（２４）が縫い付けられており、
（ｅ）該額用汗止め部材（１７）が該ヘッドバンド（３）に着脱自在に取り付けられることを特徴とする保安用ヘルメット。
【請求項２】
請求項１に記載の保安用ヘルメットにおいて、
（ｆ）該ハンモック（２）には、頭頂用汗止め部材（１６）を嵌め込むための孔部（２１）が設けられ、
（ｇ）該頭頂用汗止め部材（１６）は、合成樹脂製板状部材（１９）と不織布（２０）からなり、
（ｈ）該合成樹脂製板状部材（１９）の一方の面には該孔部（２１）に嵌め込むための突起部（２２）が設けられ、
（ｉ）該合成樹脂製板状部材（１９）の他方の面には該不織布（２０）が縫い付けられており、
（ｊ）該頭頂用汗止め部材（１６）が該ハンモック（２）に着脱自在に取り付けられる保安用ヘルメット。
【発明の詳細な説明】
【０００１】
【発明の属する技術分野】
本発明は、作業現場、工事現場等で頭部を保護する為に着用する保安用ヘルメットに関する。
【０００２】
【従来の技術】
帽体と、帽体内に設けられたハンモックと、帽体内に設けられたヘッドバンドとを有する保安用ヘルメットに於いて、例えば綿生地にウレタン樹脂をラミネートした汗止めをヘッドバンド等に直接縫い付けて固着することが行われているが、汗止めに多量に汗をかいたり、汗止めが汚れた際に汗止めを洗浄することが極めて困難であった。
【０００３】
【発明が解決しようとする課題】
本発明者等は、ハンモック又はヘッドバンドに取り付けられた汗止めに多量に汗をかいたり、汗止めが汚れた際に、汗止めを取り外して容易に洗浄することができる保安用ヘルメットについて研究を進めた結果、本発明に到達した。
【０００４】
【課題を解決するための手段】
本発明は、帽体と、帽体内に設けられたハンモックと、帽体内に設けられたヘッドバンドとを有する保安用ヘルメットにおいて、ヘッドバンドに額用汗止め部材が着脱自在に取り付けられ、さらにハンモックに頭頂用汗止め部材が着脱自在に取り付けられる保安用ヘルメットに関する。
【０００５】
ヘッドバンドには、額用汗止め部材を嵌め込むための孔部が形成され、額用汗止め部材に形成されたボタン状の突起部を嵌め込むことにより、ヘッドバンドに額用汗止め部材が着脱自在に取り付けられるようにされている。さらに、ハンモックには、頭頂用汗止め部材を嵌め込むための孔部が形成され、頭頂用汗止め部材に形成されたボタン状の突起部を嵌め込むことにより、ハンモックに頭頂用汗止め部材が着脱自在に取り付けられるようにされている。
【０００６】
そして、額用汗止め部材と頭頂用汗止め部材は、いずれも合成樹脂製板状部材と、不織布から構成されている。この不織布は、高吸水性繊維や高吸湿性繊維から成る不織布である。
【０００７】
この不織布を合成樹脂製板状部材に縫い付けることにより、額用汗止め部材や頭頂用汗止め部材が構成されている。
【０００８】
額用汗止め部材の合成樹脂製板状部材の一方の面には、ヘッドバンドの孔部に嵌め込むためのボタン状の突起部が設けられており、さらに、合成樹脂製板状部材の下端に沿って樋が形成されている。そして、合成樹脂製板状部材と樋との間には、高吸水・高吸湿性繊維の不織布に対して開口した孔部が形成されている。
【０００９】
このように、本発明の保安用ヘルメットは、額用汗止め部材のボタン状の突起部をヘッドバンドの孔部に嵌め込む構造とすることにより着脱可能とされ、また、頭頂用汗止め部材のボタン状の突起部をハンモックの孔部に嵌め込む構造とすることにより着脱可能とされている。
【００１０】
不織布に使用される高吸水・高吸湿性繊維としては、ポリアクリル酸ソーダ塩を繊維化した物を含有させたものが好適である。
【００１１】
【発明の実施の形態】
以下、図面に従って本発明を説明する。図１は本発明に係わる保安用ヘルメットの一例を示す分解斜視図であり、図２は図１に示した保安用ヘルメットの底面図であり、図３は図１に示した保安用ヘルメットに於ける頭頂用汗止め部材の断面図であり、図４は図１に示した保安用ヘルメットにおける額用汗止め部材の一部破断斜視図である。
【００１２】
本発明に係わる保安用ヘルメットは、帽体１と、帽体１内に設けられたハンモック２と、帽体１内に設けられたヘッドバンド３とを有している。
本発明に係わるヘルメットに於いて、帽体１の内面にはハンモック２の掛止具４を掛止める為の掛止受具５が形成されている。帽体１は、ポリエチレン、ポリプロピレン、ポリカーボネート、ＡＢＳ樹脂等の合成樹脂によって形成することができる。
【００１３】
本発明に係わる保安用ヘルメットに於いて、ハンモック２は、頂部６と、該頂部６から延びた脚部７とを有し、該脚部７の先端に設けられた掛止具４を帽体１の掛止受具５に掛止めることにより、帽体１内に取り付けられている。ハンモック２は、ポリエチレン、ポリプロピレン等の合成樹脂によって形成することができる。
【００１４】
本発明に係わる保安用ヘルメットに於いて、ヘッドバンド３は、帯状主体部８と、該帯状主体部８から分岐した分岐部９とを有し、該分岐部９に形成されたボタン状突起部１０をハンモック２に形成された孔部１１に嵌め込むことにより、ハンモック２に取り付けられている。ヘッドバンド３の帯状主体部８は、円孔１２が連設され、且つ二股に分かれた左側端部１３と、外側面に突起１４が連設され、且つ二股に分かれた右側端部１５とを有し、左側端部１３の円孔１２と右側端部１５の突起１４との嵌合位置を調整することにより、ヘッドバンド３のサイズを着用者の頭部の大きさに適合させることができる。ヘッドバンド３は、ポリエチレン、ポリプロピレン等の合成樹脂によって形成することができる。
【００１５】
本発明に係わる保安用ヘルメットに於いては、ハンモック２に頭頂用汗止め部材１６が着脱自在に取り付けられ、且つヘッドバンド３に額用汗止め部材１７が着脱自在に取り付けられている。
【００１６】
頭頂用汗止め部材１６は、ボタン状突起部１８が形成された合成樹脂製板状部材１９と、該合成樹脂製板状部材１９に縫い付けられた高吸水・高吸湿性繊維の不織布２０とから構成されており、ボタン状突起部１８をハンモック２に形成された孔部２１に嵌め込むことにより、ハンモック２に着脱自在に取り付けられている。
【００１７】
額用汗止め部材１７は、ボタン状突起部２２が形成された合成樹脂製板状部材２３と、該合成樹脂製板状部材２３に縫い付けられた高吸水・高吸湿性繊維の不織布２４とから構成されており、ボタン状突起部２２をヘッドバンド３に形成された孔部２５に嵌め込むことにより、ヘッドバンド３に着脱自在に取り付けられている。額用汗止め部材１７には、合成樹脂製板状部材２３の下端に沿って樋２６が形成され、且つ該合成樹脂製板状部材２３と該樋２６との間には該不織布２４に対して開口した孔部２７が形成されている。
【００１８】
頭頂用汗止め部材１６の合成樹脂製板状部材１９及び額用汗止め部材１７の合成樹脂製板状部材２３は、ポリエチレン、ポリプロピレン等の合成樹脂によって形成することができる。
【００１９】
頭頂用汗止め部材１６の高吸水・高吸湿性繊維の不織布２０及び額用汗止め部材１７の高吸水・高吸湿性繊維の不織布２４としては、例えば吸水性ポリアクリル酸ソーダ塩を繊維化した吸水性ポリアクリル酸ソーダ塩の繊維化物を含有する不織布を使用することができる。高吸水・高吸湿性繊維の不織布２０及び２４の市販品としては、例えば鐘紡株式会社製「ベルオアシス」を挙げることができる。高吸水・高吸湿性繊維の不織布２０及び２４の厚さは、通常１．０〜５．０ｍｍとすることが好ましい。
【００２０】
本発明に係わる保安用ヘルメットに於いて、頭頂用汗止め部材１６及び額用汗止め部材１７は、高吸水・高吸湿性繊維の不織布２０及び２４が汗を多量に吸収し得る為に優れた汗止め効果を有している。
【００２１】
特に、額用汗止め部材１７は、合成樹脂製板状部材２３の下端に沿って樋２６が形成され、且つ該合成樹脂製板状部材２３と該樋２６との間には該不織布２４に対して開口した孔部２７が形成されていることにより、高吸水・高吸湿性繊維の不織布２４に吸収された余剰の汗が孔部２７を通して樋２６に導かれて容易に発散させることができる為に、極めて優れた汗止め効果を有している。夏場では、作業中に多量の汗をかくが、額用汗止め部材１７により汗を良く吸収するため汗疹の発生の防止に有効である。勿論、かかる額用汗止め部材の吸水、吸湿の効果が低くなった場合には着脱自在であるため取り替えることも容易である。
【００２２】
【発明の効果】
本発明に係わる保安用ヘルメットは、帽体１内に頭頂用汗止め部材１６、額用汗止め部材１７等が着脱自在に取り付けられていることにより、これらの汗止め部材が多量に汗を吸収したり、汗止め部材が汚れた際に、汗止め部材を帽体１から取り外して容易に洗浄することができる。
【図面の簡単な説明】
【図１】本発明に係わる保安用ヘルメットの一例を示す分解斜視図である。
【図２】図２は図１に示した保安用ヘルメットの底面図である。
【図３】図１に示した保安用ヘルメットに於ける頭頂用汗止めの断面図である。
【図４】図１に示した保安用ヘルメットに於ける額用汗止めの一部破断斜視図である。
【符号の説明】
１  帽体
２  ハンモック
３  ヘッドバンド
１６、１７  汗止め部材
１８、２２  ボタン状突起部
１９、２３  合成樹脂製板状部材
２０、２４  不織布
２１、２５  孔部
２６  樋
２７  孔部
【図１】
0003928749.tif 000002
【図２】
0003928749.tif 000003
【図３】
0003928749.tif 000004
【図４】
0003928749.tif 000005